(57)【要約】【課題】キャップを外したときのパッキンの抜け落ちを防止する。【解決手段】パッキンの下方鍔部の外周面の一部において外方に突出するように下方鍔部と一体に補強用突起を設けるようにしたことにより、上方鍔部を取出口部材の上端面との間に挟んだキャップを締めつけた状態からキャップをゆるめたとき、上方鍔部がキャップに一時的に付着して上方に引っ張られたとしても、補強用突起が取出口部材の下端面ないしその周辺部に当接することにより、パッキンの取出口部材からの抜け落ちを防止し得る。【選択図】図２
2008044643.tif 000002
【特許請求の範囲】
【請求項１】
容器部の取出口にパッキンを間に挟んでキャップを締めつけるキャップ付容器において、
上記キャップは、
上記取出口を形成する円筒状取出口部材の内側面に沿うように配設される円筒状パッキン本体と、
上記パッキン本体の上端及び下端において上記取出口部材の上端面及び下端面上に延長するように横方向に突出する円環状の上方鍔部及び下方鍔部と、
上記下方鍔部の外周面の一部において横方向に外方に突出するように上記下方鍔部と一体に形成された補強用突起と
を具えることを特徴とするキャップ付容器。
【請求項２】
上記補強用突起は、１つ又は複数形成される
ことを特徴とする請求項１に記載のキャップ付容器。
【請求項３】
上記パッキンは、上記パッキン本体の内側空間を制限する制限部材を有する
ことを特徴とする請求項２に記載のキャップ付容器。
【請求項４】
上記パッキンは、全体として半硬質又は軟質な材料で構成される
ことを特徴とする請求項１に記載のキャップ付容器。
【請求項５】
上記パッキンは、上記補強用突起を他の部分より硬度が大きい材料で構成される
ことを特徴とする請求項１に記載のキャップ付容器。
【発明の詳細な説明】
【技術分野】
【０００１】
本発明はキャップ付容器に関し、特に、収納液体を収納する容器の取出口部にパッキンを介してキャップを装着するキャップ付容器に適用して好適なものである。
【背景技術】
【０００２】
従来、この種のキャップ付容器として、例えばマスカラブラシについて、特許文献１及び２に開示されているように、まつ毛に塗布するマスカラを収納するものが提案されている。
【０００３】
これらのキャップ付容器は、円筒状の容器部の取出口にパッキンとして円筒状のしごき部材を設け、不使用時、パッキンとしてのしごき部材を介してキャップを取出口に締めつけることにより、容器部内のマスカラをパッキンによって外部に漏れ出させないようにすると共に、当該しごき部材の内径空間を通してシャフトの先端に設けられたブラシ本体を出し入れすることにより、容器部内の塗布液に浸したブラシ本体を取出口部から引き抜くときに、ブラシ本体の周囲に付着している余分な塗布液を、しごき部材の内径部によってしごき落とすことにより、外部に取り出したブラシ本体ないしシャフトから塗布液をぼた落ちさせないように構成されている。
【特許文献１】特表２００４−５０４０８５公報
【特許文献２】特開２００５−４６２４３公報
【発明の開示】
【発明が解決しようとする課題】
【０００４】
従来のキャップ付容器において、円筒形状のしごき部材を容器部の取出口に保持する手法として、硬質又は半硬質のパッキンを取出口に外側から圧入することにより保持させる手法のもの（特許文献１参照）や、半硬質又は軟質の円筒状パッキンの両端部外周に円環状に横方向に突出する鍔部を形成し、当該鍔部間に取出口を挟み込むことにより保持させる手法のもの（特許文献２参照）がある。
【０００５】
ところがこれらの従来の構成によれば、キャップ付容器の不使用時、キャップを取出口に締め込むことにより容器部から塗布液が外部に漏れ出さないように強く締めつけた状態にするのに対して、使用時にはキャップを取出口からねじり戻して外す際に、取出口に保持したパッキンがキャップに一時的に付着した状態で抜け落ちることが生じる問題があった。
【０００６】
このしごき部材の抜け落ちは、容器部内の塗布液がパッキン及びキャップに対して強い粘着性を呈する場合に可能性が大きくなる。
【０００７】
本発明は以上の点を考慮してなされたもので、キャップを外す際にパッキンが抜け落ちることがなく、しかも取出口部におけるパッキンの封止力が大きいキャップ付容器を提案しようとするものである。
【課題を解決するための手段】
【０００８】
かかる課題を解決するため本発明においては、容器部２の取出口３にパッキン７を間に挟んでキャップ４を締めつけるキャップ付容器１において、キャップ４は、取出口３を形成する円筒状取出口部材１１の内側面に沿うように配設される円筒状パッキン本体１３と、パッキン本体１３の上端及び下端において取出口部材１１の上端面及び下端面上に延長するように横方向に突出する円環状の上方鍔部１５及び下方鍔部１６と、下方鍔部１６の外周面の一部において横方向に外方に突出するように下方鍔部１６と一体に形成された補強用突起３５、４１Ａ〜４１Ｂ、４２Ａ〜４２Ｄ、４３Ａ〜４３Ｈとを設けるようにする。
【発明の効果】
【０００９】
本発明によれば、パッキンの下方鍔部の外周面の一部において横方向に外方に突出するように下方鍔部と一体に補強用突起を設けるようにしたことにより、上方鍔部を取出口部材の上端面との間に挟んだキャップを締めつけた状態からキャップをゆるめたとき、上方鍔部がキャップに一時的に付着して上方に引張られたとしても、補強用突起が取出口部材の下端面ないしその周辺に当接することにより、パッキンの取出口部材からの抜け落ちを防止し得る。
【発明を実施するための最良の形態】
【００１０】
以下図面について、本発明の一実施の形態を詳述する。
【００１１】
（１）第１の実施の形態
図１において、１は全体としてキャップ付容器を示し、収納液体としてマスカラを収納する容器部２の取出口３からキャップ４に固着されたシャフト５とその先端に設けられたブラシ本体６とをしごき部を形成するパッキン７の中心孔を通って出し入れすることにより、ブラシ本体６を容器部内に収納液体として収納されているマスカラに浸して外部に取り出すようになされている。
【００１２】
取出口３は、図２に示すように、例えば合成樹脂材料によって構成された容器部２の中心線Ｌ１上において、容器部２の上端から上方に突出するように形成された円筒形状の取出口部材１１を有し、当該取出口部材１１内にしごき部材を構成するパッキン７が装着されている。
【００１３】
パッキン７は、ゴム、エラストマ、ＥＶＡなどの樹脂材料を成形することにより、半硬質又は軟質な可撓性部材として形成されている。
【００１４】
パッキン７は、図３に示すように、上下方向に延長する円筒状パッキン本体１３を有し、パッキン本体１３の内部空間における中心線Ｌ１上において、下向きに内径が小さくなっていくように内部空間を制限する漏斗形状をもつしごき部材１４が、その上側縁がパッキン本体１３の内壁に一体となるように、設けられている。
【００１５】
かくしてしごき部材１４はパッキン本体１３の上方から中心線Ｌ１に沿ってシャフト５の下端に設けられたブラシ本体６が挿入されたとき、シャフト５及びブラシ本体６を構成する毛材によってしごき部材１４の中心口を柔軟に押し広げることにより、シャフト５及びブラシ本体６を容器部２内の塗布液に浸る位置まで挿入できるようになされている。
【００１６】
パッキン本体１３の上方外周縁には円環状の上方鍔部１５が形成され、この上方鍔部１５の円環状下面が取出口部材１１の上端面に上方から係合する。
【００１７】
これに対してパッキン本体１３の下端部分の外周面には、下方鍔部１６が中心線Ｌ１と直交するように横方向に突出するように形成され、当該下方鍔部１６が取出口部材１１の下端面ないしその周辺部（取出口部材１１の下端面部ないし当該取出口部材１１に連接している容器部２の肩部２Ａとの接合部分）に対して、下方から当接し、これにより上方鍔部１５及び下方鍔部１６によって取出口部材１１の上端面及び下端面を挟み込むことにより、パッキン本体１３の外周面を取出口部材１１の内周面に当接させた状態でパッキン７を取出口３に装着した状態を得ている。
【００１８】
取出口部材１１の外周面には雄ねじ２１が形成されており、この雄ねじ２１に対して、図４に示すように、シャフト５の上端部に固着されているキャップ４の雌ねじ２２をねじ込むように締め込むことにより、シャフト５及びブラシ本体６をしごき部を構成するパッキン７内に挿通した状態で、キャップ４を取出口部材１１に締込み保持できるようになされている。
【００１９】
キャップ４は下方から円筒状の内部空間２５を穿設してなる円柱状外観を呈するキャップ本体２６（図４）を有し、キャップ本体２６の中心線Ｌ２を中心として、内部空間２５の下側側壁部表面に中心線Ｌ２を中心として雌ねじ２２が形成され、この中心線Ｌ２を取出口部材１１（図２）の中心線Ｌ１上に沿わせるようにキャップ本体２６を上方から取出口部材１１に被せることにより、キャップ本体２６の雌ねじ２２を取出口部材１１の雄ねじ２１にねじ込むことができるようになされている。
【００２０】
内部空間２５の上側部には連結部材３１が嵌め込まれている（図４）。
【００２１】
連結部材３１は円筒状連結部材本体３２を有し、その下端面を閉塞するように円板状の台座板部３３が一体に形成されており、連結部材本体３２はキャップ本体２６の内部空間２５内に下方から圧入されることにより、連結部材本体３２が台座板部３３と共にキャップ本体２６と一体に組立てられている。
【００２２】
台座板部３３の中心部を貫通するように取付孔３４が形成され、この取付孔３４にシャフト５の上端部が挿通された状態で溶着されることにより、台座板部３３の中心位置においてキャップ本体２６の中心線Ｌ２上に延長するようにシャフト５をキャップ本体２６に固着保持する。
【００２３】
これに加えて台座板部３３の下面外周部は、キャップ本体２６の雌ねじ２２が取出口部材１１の雄ねじ２１にねじ込まれたとき、パッキン７の上方鍔部１５に上方から整合性よく当接するようになされ、かくしてキャップ４を容器部２に締めつけたとき、上方鍔部１５の柔軟性を利用して、容器部２内の収納液を外部に漏れ出させないようにパッキンとして機能させる。
【００２４】
以上の構成に加えて、下方鍔部１６には、図３（Ａ）〜（Ｃ）に示すように、外側面のほぼ半円周の範囲において横方向に外方に突出する補強用突起３５が形成されている。
【００２５】
この補強用突起３５は下方鍔部１６を構成する材料が外方に膨出するように形成されていることにより、下方鍔部１６と同じ半硬質又は軟質な可撓性をもつようになされている。
【００２６】
以上の構成において、しごき部としてパッキン７を容器部２の取出口部材１１に装着した状態で、キャップ４を取出口部材１１の周囲に形成された雄ねじ２１にねじ込むことにより、キャップ４が容器部２の取出口３に被せられる。
【００２７】
このときキャップ４の連結部材３１の台座板部３３がパッキン７の上方鍔部１５を取出口部材１１の上端面に圧縮するように押しつけることにより、パッキン７の可撓性を利用して容器部２内の収納液が外部に漏れ出さないように封止する状態になる。
【００２８】
この状態からキャップ４をねじり戻して容器部２内の塗布液に浸されたブラシ本体６を引き抜く際に、ブラシ本体６がパッキン７のしごき部材１４を通って外部に引き出されるが、シャフト５及びパッキン７が半硬質又は軟質な可撓性を呈することから、しごき部材１４が柔軟に少し拡大しながらシャフト５及びブラシ本体６をしごくような動作をする。
【００２９】
これと同時に、キャップ４を取出口部材１１からねじり戻すようにゆるめた時、キャップ４の台座板部３３がパッキン７の上方鍔部１５から離れる際に、粘着性をもつ塗布液の一部が上方鍔部１５に付着しているときには、上方鍔部１５が台座板部３３に一時的に付着してキャップ４の台座板部３３と一体に上方に引かれるが、下方鍔部１６に設けられた補強用突起３５が下方鍔部１６から横方向に外方に突出して容器部２の取出口部材ないしその周辺の肩部２Ａに当接しているので、パッキン７が上方に引かれたとき当該補強用突起３５が容器部２の取出口部材ないしその周辺の肩部２Ａに当ることにより、パッキン７が取出口部材１１の内部空間から上方に引き抜かれることを防止する。
【００３０】
以上の構成によれば、パッキン７として、しごき部材１４によるしごき動作を行うのに十分な柔らかさをもつ材料のものを適用することにより、上方鍔部１５による封止効果を得ると共に、キャップ４をねじり戻す際にたとえパッキン７が台座板部３３に一時的に付着して上方に引っ張られたとしても、下方鍔部１６に補強用突起３５を設けたことにより、パッキン７が全体として取出口部材１１から上方に抜け落ちるおそれを有効に防止できる。
【００３１】
これと共に、上述の構成によれば、補強用突起３５が下方鍔部１６の一部（図３の場合、ほぼ半周程度の範囲）に設けたことにより、パッキン７を取出口部材１１に装着するための組立作業をするために上方から挿入する際に、当該補強用突起３５が設けられていない部分を外側から横方向に内方に押圧することにより変形させれば、パッキン７を全体として（少なくとも下側部分を）縦方向に細長くなるように変形させることができ、これによりパッキン７の取出口部材１１内への挿入を容易になし得る。
【００３２】
かくして補強用突起３５を設けた下方鍔部１６を取出口部材１１ないし容器部２の肩部２Ａの下端面に当接するようにパッキン７を容易に装着することができる。
【００３３】
因に、補強用突起３５を下方鍔部１６の全周に亘って形成すると、パッキン７を取出口部材１１内に挿入する際に、当該補強用突起３５が変形し難いため取出口部材１１に挿入することができないことになる（又は極めて困難になる）が、上述の構成によれば、かかる問題を有効に解決できる。
【００３４】
（２）他の実施の形態
図５は他の実施の形態を示すもので、図１〜図４との対応部分に同一符号を付して示すように、図５（Ａ）の場合、パッキン７のパッキン本体１３の下方鍔部１６に対して、２つの補強用突起４１Ａ及び４１Ｂが下方鍔部１６の外周面から横方向に外方に突出するように形成されている。
【００３５】
この場合補強用突起４１Ａ及び４１Ｂは下方鍔部１６の外側面円周においてほぼ１８０度の角間隔を隔てて互いに対向するように配設されている。
【００３６】
図５（Ａ）の構成において、パッキン７を取出口部材１１に装着する際には、下方鍔部１６のうち、一対の補強用突起４１Ａ及び４１Ｂが設けられていない部分を外側から横方向に内方に押圧することによりパッキン７を全体として（少なくとも下側部分を）縦方向に細長くなるように変形させた状態で取出口部材１１を押し込む。
【００３７】
かくしてパッキン７を図２について上述したと同様に、上方鍔部１５が取出口部材１１の上端面に当接するまでパッキン７を挿入すれば、下方鍔部１６ないし補強用突起４１Ａ及び４１Ｂが容器部２の肩部２Ａの取出口部材１１ないしその周辺の下面に当接する位置に来たとき、パッキン本体１３がその弾性によって変形を受けない状態に戻ることにより、上方鍔部１５と下方鍔部１６ないし補強用突起４１Ａ及び４１Ｂによって取出口部材１１を挟み込むような状態でパッキン７が取出口部材１１の所定位置に装着されることになる。
【００３８】
図５（Ａ）の構成によれば、キャップ４が取出口３の雄ねじ２１にねじ込まれて台座板部３３が上方鍔部１５に付着した封止状態において、キャップ４をねじり戻したときたとえ台座板部３３がパッキン７の上方鍔部１５に一時付着した状態になってパッキン７が上方に引っ張られたとしても、下方鍔部１５に加えてその外周面から横方向に突出する補強用突起４１Ａ及び４１Ｂが下方鍔部１６ないしその周辺の肩部２Ａの下面に当接することにより、パッキン７が上方に抜け落ちることを防止できる。
【００３９】
図５（Ｂ）はさらに他の実施の形態を示し、この場合図５（Ａ）との対応部分に同一符号を付して示すように、下方鍔部１６の外周面において４つの補強用突起４２Ａ〜４２Ｄが、外周面を４分割してほぼ９０度の角間隔を保つ位置において横方向に外方に突出するように形成さされている。
【００４０】
図５（Ｂ）の構成によれば、パッキン７を取出口部材１１に装着する際には、補強用突起４２Ａ〜４２Ｄが形成されていない部分を横方向に内方に押圧することによりパッキン７を全体として（少なくとも下側部分を）縦方向に細長くなるように変形させた状態で取出口部材１１に押し込むことにより、図５（Ａ）について上述したと同様にしてパッキン７の上方鍔部１５及び下方鍔部１６間に取出口部材１１を挟み込むように装着される。
【００４１】
この装着状態において、補強用突起４２Ａ〜４２Ｄが下方鍔部１６の外周面から横方向に外方に広がった位置で容器部２の取出口部材１１ないしその周辺の肩部２Ａの内面に当接することにより、キャップ４をねじり戻したときたとえ上方鍔部１５がキャップ４の台座板部３３に一時的に付着していたとしても、パッキン７が抜け落ちることを防止できる。
【００４２】
図５（Ｃ）はさらに他の実施の形態を示すもので、図５（Ａ）との対応部分に同一符号を付して示すように、下方鍔部１６の外周面において８つの補強用突起４３Ａ〜４３Ｈが下方鍔部１６の外周面を８分割してほぼ４５度の角間隔を保つ位置において横方向に外方に突出するように形成されている。
【００４３】
図５（Ｃ）の構成によれば、パッキン７を取出口部材１１に装着する際に、パッキン７の下側部分のうち、補強用突起４３Ａ〜４３Ｈが形成されていない部分を横方向に内方に押圧することによりパッキン７を全体として（少なくとも、下側部分を）縦方向に細長くなるように変形させた状態で取出口部材１１内に押し込むことができる。
【００４４】
かくして上方鍔部１５及び下方鍔部１６間に取出口部材１１を挟み込んだ状態において、下方鍔部１６の外側位置において８つの補強用突起４３Ａ〜４３Ｈが容器部２の取出口部材１１ないしその周辺の肩部２Ａの下面に当接することにより、キャップ４をねじり戻したとき台座板部３３が上方鍔部１５に一時的に付着したとしても、パッキン７が抜け落ちることを防止できる。
【００４５】
なお上述の実施の形態においては、補強用突起３５（図３）、４１Ａ〜４１Ｂ（図５（Ａ））、４２Ａ〜４２Ｄ（図５（Ｂ））、４３Ａ〜４３Ｈ（図５（Ｃ））として、半硬質又は軟質の下方鍔部１６と同じ部材を横方向に外方に突出させることにより形成したが、これに代え、当該補強用突起の部分を、他の部分の材料より硬質の樹脂材料で二重成形又は二色成形することにより、補強用突起の硬度を高めるようにしても良い。
【００４６】
このようにすれば、キャップ４をねじり戻したとき、たとえパッキン７の上方鍔部１５が台座板部３３に一時的に付着したとしても、当該硬度が高い補強用突起によって一段と強く抜け落ちを防止できる。
【００４７】
さらに上述の実施の形態においては、本発明を、収納液体としてマスカラを収納した容器部２に、ブラシ本体６を先端に取り付けたシャフト５を有するキャップ４をねじり込むようにしたキャップ付容器１に適用した場合について述べたが、本発明はマスカラ液用容器に限らず、毛染液や、化粧液などのように、容器に入れた収納液体をキャップを締め込むことにより封止すると共に、キャップをゆるめたとき容器内の収納液が不用意に外部にこぼれないように取出口部材にパッキンを設けるような場合に広く適用できる。
【００４８】
さらに上述の実施の形態においては、パッキン７内に空間制限部材としてしごき部材１４を設けた場合について述べたが、これを省略し、又はこれに代え、パッキン内又は上端部に、１つ又は複数の貫通孔を有するしきり板ないし蓋板を設け、これによりキャップ４を外した状態で容器部２が倒れたとき、容器部２内の収納液体（例えば化粧水や、飲料水などの液体）が大量に流れ出さないように、パッキン７の空間を制限するようにしても、上述の場合と同様の効果を得ることができる。
【産業上の利用可能性】
【００４９】
本発明は容器部にキャップを締めつけるキャップ付容器に利用できる。
【図面の簡単な説明】
【００５０】
【図１】本発明によるキャップ付容器の一実施の形態を示す斜視図である。
【図２】図１の取出口の構成を示す部分的斜視図である。
【図３】（Ａ）、（Ｂ）及び（Ｃ）は図２のパッキンを示す側面図、Ａ３−Ａ３断面図及び底面図である。
【図４】図１のキャップ部分の構成を示す部分的断面図である。
【図５】（Ａ）、（Ｂ）及び（Ｃ）はパッキンの他の実施の形態を示す底面図である。
【符号の説明】
【００５１】
１……キャップ付容器、２……容器部、３……取出口、４……キャップ、５……シャフト、６……ブラシ本体、７……パッキン、１１……取出口部材、１３……パッキン本体、１４……しごき部材、１６……下方鍔部、２１……雄ねじ、２２……雌ねじ、２６……キャップ本体、３１……連結部材、３２……連結部材本体、３３……台座板部、３４……取付孔、３５、４１Ａ〜４１Ｂ、４２Ａ〜４２Ｄ、４３Ａ〜４３Ｈ……補強用突起。
【図１】
2008044643.tif 000003
【図２】
2008044643.tif 000004
【図３】
2008044643.tif 000005
【図４】
2008044643.tif 000006
【図５】
2008044643.tif 000007